(57)【特許請求の範囲】
【請求項１】
複数の排水入口部と、単一の排水出口部とを有して、前記各排水入口部から入った排水を合流して前記排水出口部から排出させる排水ヘッダーにおいて、
一端に第一の排水入口部を有し、他端に前記排水出口部を有する直管状のヘッダー本体と、
該ヘッダー本体の側面に対し、他端が前記排水出口部へ向けて９０°よりも大きい角度で接続された斜交管部と、を有すると共に、
少なくとも前記斜交管部における、前記ヘッダー本体の一端側の側面に対し、前記第一の排水入口部とは別の排水入口部が、前記斜交管部の前記ヘッダー本体との接続部へ向けて９０°よりも大きい角度で斜交される個別管部を介して個別に接続され、
複数の前記排水入口部は、全て一直線上に位置が揃えられ、
更に、前記ヘッダー本体と前記斜交管部との接続部、および、前記斜交管部と前記個別管部との接続部、の両方の上面に点検口部が設けられ、
前記ヘッダー本体一端の第一の排水入口部を汚水入口部とし、
前記個別管部の各排水入口部を雑排水入口部としたことを特徴とする排水ヘッダー。
【請求項２】
請求項１に記載の排水ヘッダーであって、
前記ヘッダー本体と前記斜交管部との接続部の底面、および、前記斜交管部と前記個別管部との接続部の底面が、段差のない無段差形状部とされたことを特徴とする排水ヘッダー。
【発明の詳細な説明】
【技術分野】
【０００１】
この発明は、排水ヘッダーに関するものである。
【背景技術】
【０００２】
住宅などの建物には、排水システムが備えられている。この排水システムでは、汚水用の系統と、雑排水用の系統とを分けてそれぞれ別個に設けることが行われている。このうち、汚水用の系統は、例えば、各階のトイレを上下方向に結ぶように設けられている。また、雑排水用の系統は、例えば、各階に設置された風呂、洗面台、洗濯用排水部などの各排水設備に対し、各階ごとに独立した系統にしてそれぞれ別個に設けられている。
【０００３】
そして、上記した排水システムの各系統は、その下端部が下階の床下部にまで延ばされて、床下部にほぼ水平状態で設置された排水ヘッダーに接続されることにより、排水ヘッダーにて合流される。排水ヘッダーの排水出口部は、排水管を介して屋外に設置された汚水枡に接続される（例えば、特許文献１参照）。
【先行技術文献】
【特許文献】
【０００４】
【特許文献１】特開２００２−１０６００９号公報
【発明の概要】
【発明が解決しようとする課題】
【０００５】
しかしながら、従来の排水ヘッダーは、ほぼ水平方向へ延びる直管状をしたヘッダー本体の両側部に対して、複数の排水入口部を、面直方向などへ向けて直接設けるような構造となっていたので、排水入口部からヘッダー本体へ入った排水の流れが９０°などに大きく方向変更されることとなり、排水の逆流や、他の排水入口部への排水の飛び込みなどが生じ易かった。
【０００６】
そこで、ヘッダー本体を、例えば、卵型などの非円形断面にして、排水入口部とヘッダー本体との接続部の底部に段差を設けるようにし、この段差を利用して上記した排水の逆流や他の排水入口部への排水の飛び込みなどを防止させるようにしていた。
【０００７】
しかし、排水入口部とヘッダー本体との接続部の底部に段差を設けると、今度は、排水中（特に、汚水中）に含まれる固形物（例えば、ティッシュペーパーなど）が段差の部分で分離され易くなってしまい、段差の部分に滞留が起こるなどの新たな問題を生じていた。
【０００８】
そこで、本発明は、上記した問題点を解決することを、主な目的としている。
【課題を解決するための手段】
【０００９】
上記課題を解決するために、本発明は、
複数の排水入口部と、単一の排水出口部とを有して、前記各排水入口部から入った排水を合流して前記排水出口部から排出させる排水ヘッダーにおいて、
一端に第一の排水入口部を有し、他端に前記排水出口部を有する直管状のヘッダー本体と、
該ヘッダー本体の側面に対し、他端が前記排水出口部へ向けて９０°よりも大きい角度で接続された斜交管部と、を有すると共に、
少なくとも前記斜交管部における、前記ヘッダー本体の一端側の側面に対し、前記第一の排水入口部とは別の排水入口部が、前記斜交管部の前記ヘッダー本体との接続部へ向けて９０°よりも大きい角度で斜交される個別管部を介して個別に接続され、
複数の前記排水入口部は、全て一直線上に位置が揃えられ、
更に、前記ヘッダー本体と前記斜交管部との接続部、および、前記斜交管部と前記個別管部との接続部、の両方の上面に点検口部が設けられ、
前記ヘッダー本体一端の第一の排水入口部を汚水入口部とし、
前記個別管部の各排水入口部を雑排水入口部としたことを特徴としている。
【発明の効果】
【００１０】
本発明によれば、上記構成によって、以下のような作用効果を得ることができる。
即ち、排水ヘッダーを、上記したようなヘッダー本体と、斜交管部と、個別管部と、を有するものとした。これにより、各排水入口部から入った排水を、それぞれ、より直進に近い状態で排水出口部へと導くことが可能となり、排水の逆流や、他の排水入口部への排水の飛び込みを防止することができると共に、排水中に含まれる固形物の滞留などを有効に防止することができる。
複数の排水入口部は、全て一直線上に位置が揃えられる。これにより、個別管部をスペース効率良く斜交管部に設けることができると共に、各排水入口部に対して排水システムの各系統の下端部を容易に接続することができる。
更に、ヘッダー本体と斜交管部との接続部、および、斜交管部と個別管部との接続部、の両方の上面に点検口部が設けられる。これにより、排水ヘッダーのメンテナンスが容易となり、維持管理性能を向上することができる。
ヘッダー本体一端の第一の排水入口部を、汚水入口部とした。また、個別管部の各排水入口部を雑排水入口部とした。これにより、直管状のヘッダー本体は汚水専用のものとなり、汚水は直管状のヘッダー本体の内部を直進のみされることになるので、汚水に含まれるティッシュペーパーなどの固形物の分離や滞留などをより有効に防止することができる。
【図面の簡単な説明】
【００１１】
【図１】本実施の形態にかかる排水システムの全体構成図である。
【図２】図１の排水ヘッダーの平面図である。
【図３】図２の排水ヘッダーを排水入口部から見た端面図である。
【図４】図２の排水ヘッダーを排水出口部から見た端面図である。
【図５】図２の排水ヘッダーの左側面図である。
【図６】図２の排水ヘッダーの右側面図である。
【発明を実施するための形態】
【００１２】
以下、本実施の形態を、図面を用いて詳細に説明する。
図１〜図６は、この実施の形態を説明するためのものである。
【実施例１】
【００１３】
＜構成＞以下、構成について説明する。
【００１４】
図１に示すように、住宅などの建物１に対して、排水システム２を備えるようにする。この排水システム２では、汚水用の系統３と、雑排水用の系統４，５と、を分けてそれぞれ別個に設けるようにする。このうち、汚水用の系統３は、各階のトイレ７を上下方向に結ぶように設ける。また、雑排水用の系統４，５は、各階に設置された風呂１１、洗面台１２、洗濯用排水部１３などの各排水設備（のうちの少なくともいずれか）に対し、各階ごとに独立した系統にしてそれぞれ別個に設ける。そして、上記した排水システム２の各系統は、その下端部を下階の床下部１５まで延ばして、床下部１５にほぼ水平状態で設置された排水ヘッダー１６に接続することにより、排水ヘッダー１６にて合流させる。排水ヘッダー１６は、排水管１７を介して屋外に設置された汚水枡に接続される。
【００１５】
そして、図２（〜図６）に示すように、上記した排水ヘッダー１６を、複数の排水入口部２１〜２３と、単一の排水出口部２５とを有して、各排水入口部２１〜２３から入った排水２６を合流して排水出口部２５から排出させるものとする。
【００１６】
以上のような、基本的構成に対し、この実施例では、以下のような構成を備えるようにする。
【００１７】
（構成１）
排水ヘッダー１６を、
一端に第一の排水入口部２１を有し、他端に上記排水出口部２５を有する直管状のヘッダー本体３１と、
このヘッダー本体３１の側面に対し、他端が上記排水出口部２５へ向けて９０°よりも大きい角度θ１で接続された斜交管部３３と、を備えたものとする。
そして、少なくとも上記斜交管部３３における、上記ヘッダー本体３１の一端側の側面に対し、上記第一の排水入口部２１とは別の排水入口部２２，２３が、上記斜交管部３３の上記ヘッダー本体３１との接続部へ向けて９０°よりも大きい角度θ２で斜交される個別管部３６，３７を介して個別に接続されるようにする。
更に、上記ヘッダー本体３１と上記斜交管部３３との接続部、および、上記斜交管部３３と上記個別管部３６，３７との接続部、のうちの少なくとも一つの上面に点検口部４１〜４３が設けられるようにする。
【００１８】
ここで、ヘッダー本体３１、斜交管部３３、個別管部３６，３７は、同一の樹脂材料によって一体に形成される。ヘッダー本体３１、斜交管部３３、個別管部３６，３７は、それぞれ円形断面を有すると共に、その軸線がほぼ同一平面内に位置するものとされ、所要の排水勾配を有してほぼ水平な状態で設置されるものとなっている。
【００１９】
この場合、斜交管部３３は、ヘッダー本体３１の反対側の側面や、両側面に対して設けるようにしても良い。個別管部３６，３７は、単数または複数設けられる（図では２個となっているが、それ以上としても良い）。各個別管部３６，３７は、好ましくは、直管状のヘッダー本体３１と平行となるように並設される。そして、好ましくは、排水入口部２１〜２３は、ヘッダー本体３１の面直方向に対して、位置が一直線上に揃えられるようにする。これにより、個別管部３６，３７をスペース効率良く斜交管部３３に設けることができると共に、各排水入口部２１〜２３に対して排水システム２の各系統３〜５の下端部を容易に接続することができる。なお、斜交管部３３の一端部については、個別管部３７を介して排水入口部２３を設けるようにしても良いし、または、斜交管部３３の一端部に直接排水入口部２３を設けるようにしても良いし、或いは、排水入口部２３を設けなくても良い。
【００２０】
また、第一の排水入口部２１および別の排水入口部２２，２３は、円形断面の受口などとされる。これに対し、排水システム２の各系統３〜５の下端部は、円形断面の差口などとされる。但し、受口と差口とは、反対としても良い。排水出口部２５についても、排水入口部２１〜２３と同様に、円形断面の受口または差口などとされる。そして、点検口部４１〜４３は、点検口と、この点検口に開閉可能に取付けられた蓋部とを有するものとされる。
【００２１】
（構成２）
上記ヘッダー本体３１と上記斜交管部３３との接続部の底面、および、上記斜交管部３３と上記個別管部３６，３７との接続部の底面が、段差のない無段差形状部５１とされる。
【００２２】
ここで、無段差形状部５１は、上記したように各接続部における流路内壁および外壁の最下部が、同一面内に位置するように高さレベルを揃えたものとされる。この場合には、ヘッダー本体３１と、斜交管部３３と、個別管部３６，３７とを同一の内外径にすると共に、互いの軸線を揃えて設置することで、無段差形状部５１が形成されるようにしている。
【００２３】
（構成３）
上記ヘッダー本体３１一端の第一の排水入口部２１を汚水入口部５５とする。
また、上記個別管部３６，３７の各排水入口部２２，２３を雑排水入口部５６，５７とする。
【００２４】
そのために、上記した汚水用の系統３の下端部をヘッダー本体３１一端の第一の排水入口部２１に接続し、上記した雑排水用の系統４，５の下端部を個別管部３６，３７の各排水入口部２２，２３に接続するようにしている。
【００２５】
＜作用効果＞この実施例によれば、以下のような作用効果を得ることができる。
【００２６】
（作用効果１）
排水ヘッダー１６は、複数の排水入口部２１〜２３のそれぞれから入った排水２６を合流して排水出口部２５から排出させるようにするものである。
【００２７】
そして、排水ヘッダー１６を、上記したようなヘッダー本体３１と、斜交管部３３と、個別管部３６，３７と、を有する枝形状のものとした。これにより、９０°またはそれ以下の急角度に曲がるような部分などをなくして、各排水入口部２１〜２３から入った排水２６のそれぞれを、直進またはより直進に近い状態で排水出口部２５へと導くことが可能となる。しかも、上記した形状によって、排水２６の逆流や、他の排水入口部２１〜２３への排水２６の飛び込みを防止することができると共に、排水２６中に含まれる固形物の滞留なども有効に防止することができる。
【００２８】
更に、ヘッダー本体３１と斜交管部３３との接続部および、斜交管部３３と個別管部３６，３７との接続部、のうちの少なくとも一つの上面に点検口部４１〜４３を設けた。これにより、排水ヘッダー１６のメンテナンスが容易となり、維持管理性能を向上することができる。
【００２９】
（作用効果２）
ヘッダー本体３１と斜交管部３３との接続部の底面、および、斜交管部３３と個別管部３６，３７との接続部の底面を段差のない無段差形状部５１とした。これにより、排水２６中の固形物が底面の段差部分で分離して滞留するなどの不具合を防止して、排水２６の流れを良くすることができる。また、排水ヘッダー１６の底面に段差部分がないため、排水ヘッダー１６の上面を揃えて、排水ヘッダー１６の高さを抑える（低くする）ことが可能となり、排水ヘッダー１６の床下などへの設置性および床下作業の容易性を向上すると共に、排水ヘッダー１６に接続される配管（排水管１７）などの勾配確保を容易化することができる。
【００３０】
（作用効果３）
ヘッダー本体３１一端の第一の排水入口部２１を、汚水入口部５５とした。また、個別管部３６，３７の各排水入口部２２，２３を雑排水入口部５６，５７とした。これにより、直管状のヘッダー本体３１は汚水専用のものとなり、汚水は直管状のヘッダー本体３１の内部を直進のみされることになるので、汚水に含まれるティッシュペーパーなどの固形物の分離や滞留などをより有効に防止することができる。
【００３１】
また、直管状のヘッダー本体３１は、排水管１７を介して屋外の汚水枡に接続されることになるが、直管状のヘッダー本体３１には排水管１７がほぼ直線的に接続されると共に、直管状のヘッダー本体３１は、斜交管部３３や個別管部３６，３７よりも汚水枡に近い位置に配置されることとなるので、固形物の分離や滞留などを防止する上で、他の排水入口部２２，２３を汚水入口部５５とするよりも、位置的に有利である。更に、万一、直管状のヘッダー本体３１の内部にティッシュペーパーなどの固形物が滞留してしまったような場合であっても、斜交管部３３から合流される多量の排水２６（風呂１１などの雑排水）によって滞留した固形物を流すことが期待できる。
【００３２】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００３３】
１６  排水ヘッダー
２１  排水入口部
２２  排水入口部
２３  排水入口部
２５  排水出口部
２６  排水
３１  ヘッダー本体
３３  斜交管部
３６  個別管部
３７  個別管部
４１  点検口部
４２  点検口部
４３  点検口部
５１  無段差形状部
５５  汚水入口部
５６  雑排水入口部
５７  雑排水入口部
θ１  角度
θ２  角度
【図１】
0006502642.tif 000002
【図２】
0006502642.tif 000003
【図３】
0006502642.tif 000004
【図４】
0006502642.tif 000005
【図５】
0006502642.tif 000006
【図６】
0006502642.tif 000007